(57)【要約】【課題】元のＷｅｂページへの滞在を維持しつつ、コンテンツの閲覧性を向上させることができる、情報処理装置ならびにその制御方法および制御プログラムを提供する。【解決手段】情報処理装置は、所定の記述形式でインターネット上の位置が予め特定されたＷｅｂページを有する情報処理装置であって、Ｗｅｂページは、Ｗｅｂページ内において表示される第１コンテンツに対するハイパーリンクであって、第１コンテンツと表示形状の異なる第１リンクを含む。【選択図】図１
2020042530.tif 000002
【特許請求の範囲】
【請求項１】
所定の記述形式でインターネット上の位置が予め特定されたＷｅｂページを有する情報処理装置であって、
前記Ｗｅｂページは、前記Ｗｅｂページ内において表示される第１コンテンツに対するハイパーリンクであって、前記第１コンテンツと表示形状の異なる第１リンクを含む、情報処理装置。
【請求項２】
前記Ｗｅｂページは、前記第１リンクを介した前記第１コンテンツの表示を、前記Ｗｅｂページに表示される表示要素の少なくとも一部の表示位置を変更しないように行う、請求項１に記載の情報処理装置。
【請求項３】
前記Ｗｅｂページは、前記第１コンテンツとして、所定の再生時間を要するコンテンツを表示する、請求項１または２に記載の情報処理装置。
【請求項４】
前記Ｗｅｂページは、前記第１コンテンツとして、複数のコンテンツを連続して表示する、請求項１から３のいずれか一項に記載の情報処理装置。
【請求項５】
前記Ｗｅｂページは、前記第１リンクを予め定められた表示位置において表示する、請求項１から４のいずれか一項に記載の情報処理装置。
【請求項６】
前記Ｗｅｂページは、前記Ｗｅｂページの外部において表示される第２コンテンツに対するハイパーリンクである第２リンクをさらに含む、請求項１から５のいずれか一項に記載の情報処理装置。
【請求項７】
前記Ｗｅｂページは、前記第１リンクを前記第２リンクより優先的に表示する、請求項６に記載の情報処理装置。
【請求項８】
所定の記述形式でインターネット上の位置が予め特定されたＷｅｂページを有する情報処理装置が、
前記Ｗｅｂページにおいて、前記Ｗｅｂページ内において表示される第１コンテンツに対するハイパーリンクであって、前記第１コンテンツと表示形状の異なる第１リンクを表示するステップを含む、情報処理装置の制御方法。
【請求項９】
所定の記述形式でインターネット上の位置が予め特定されたＷｅｂページを有する情報処理装置に、
前記Ｗｅｂページにおいて、前記Ｗｅｂページ内において表示される第１コンテンツに対するハイパーリンクであって、前記第１コンテンツと表示形状の異なる第１リンクを表示する処理を実行させるための、情報処理装置の制御プログラム。
【発明の詳細な説明】
【技術分野】
【０００１】
本発明は、情報処理装置ならびにその制御方法および制御プログラムに関する。
【背景技術】
【０００２】
従来、複数の商品の広告情報をＷｅｂページに表示し、Ｗｅｂページに表示された商品の詳細情報を示す詳細ページへ遷移可能なリンクを商品の広告情報に付与して表示する装置がある（例えば、特許文献１を参照）。
【０００３】
また、複数のリンク情報を含む画面情報に基づく表示の際に、複数のリンク情報のそれぞれが示すリンク先に対応する情報を、画面情報に基づいて表示させた表示領域内の所定の表示領域内に選択的に表示させる表示制御方法がある（例えば、特許文献２を参照）。
【０００４】
また、広告付Ｗｅｂページの閲覧者による広告に対するインタラクションに応じて、広告にリンクされたＷｅｂページをポップアップ表示し、ポップアップ表示されたＷｅｂページに対する閲覧操作、ポップアップ表示の消去を実行し、閲覧ログを広告管理サーバに送信する広告の提示・管理方法がある（例えば、特許文献３を参照）。
【０００５】
また、Ｗｅｂブラウザにおいて表示されるＷｅｂページにおいて、動画を再生するためのハイパーリンクを表示し、Ｗｅｂブラウザを操作する利用者がハイパーリンクを選択することにより動画を再生する別のＷｅｂページを表示させるＷｅｂページがある。また、動画を再生するためのハイパーリンクを有する表示面積の小さい静止画を表示し、静止画の表示形状を維持したまま、小さな表示面積において動画を表示するＷｅｂページがある。
【先行技術文献】
【特許文献】
【０００６】
【特許文献１】特開２０１５−１３８２８３号公報
【特許文献２】特開２０１１−１７０８６７号公報
【特許文献３】特開２００６−２５２１７９号公報
【発明の概要】
【発明が解決しようとする課題】
【０００７】
しかし、上記特許文献に記載された技術においては、動画等のコンテンツの表示がハイパーリンクと同型状であると、コンテンツが小さく表示されてコンテンツの見やすさやコンテンツの理解のしやすさを示すコンテンツの閲覧性を損ねる場合があった。
【０００８】
本発明は上記事情に鑑みてなされたものであり、コンテンツの閲覧性を向上させることができる、情報処理装置ならびにその制御方法および制御プログラムを提供することを一つの目的とする。
【課題を解決するための手段】
【０００９】
（１）上記の課題を解決するため、情報処理装置は、所定の記述形式でインターネット上の位置が予め特定されたＷｅｂページを有する情報処理装置であって、Ｗｅｂページは、Ｗｅｂページ内において表示される第１コンテンツに対するハイパーリンクであって、第１コンテンツと表示形状の異なる第１リンクを含む。
【００１０】
（２）また、実施形態の情報処理装置において、Ｗｅｂページは、第１リンクを介した第１コンテンツの表示を、Ｗｅｂページに表示される表示要素の少なくとも一部の表示位置を変更しないように行う。
【００１１】
（３）また、実施形態の情報処理装置において、Ｗｅｂページは、第１コンテンツとして、所定の再生時間を要するコンテンツを表示する。
【００１２】
（４）また、実施形態の情報処理装置において、Ｗｅｂページは、第１コンテンツとして、複数のコンテンツを連続して表示する。
【００１３】
（５）また、実施形態の情報処理装置において、Ｗｅｂページは、第１リンクを予め定められた表示位置において表示する。
【００１４】
（６）また、実施形態の情報処理装置において、Ｗｅｂページは、Ｗｅｂページの外部において表示される第２コンテンツに対するハイパーリンクである第２リンクをさらに含む。
【００１５】
（７）また、実施形態の情報処理装置において、Ｗｅｂページは、第１リンクを第２リンクより優先的に表示する。
【００１６】
（８）上記の課題を解決するため、情報処理方法は、所定の記述形式でインターネット上の位置が予め特定されたＷｅｂページを有する情報処理装置が、Ｗｅｂページにおいて、Ｗｅｂページ内において表示される第１コンテンツに対するハイパーリンクであって、第１コンテンツと表示形状の異なる第１リンクを表示するステップを含む。
【００１７】
（９）上記の課題を解決するため、情報処理の制御プログラムは、所定の記述形式でインターネット上の位置が予め特定されたＷｅｂページを有する情報処理装置に、Ｗｅｂページにおいて、Ｗｅｂページ内において表示される第１コンテンツに対するハイパーリンクであって、第１コンテンツと表示形状の異なる第１リンクを表示する処理を実行させる。
【発明の効果】
【００１８】
本発明の一つの実施形態によれば、情報処理装置ならびにその制御方法および制御プログラムは、所定の記述形式でインターネット上の位置が予め特定されたＷｅｂページ内において表示される第１コンテンツに対するハイパーリンクであって、第１コンテンツと表示形状の異なる第１リンクを含むことにより、コンテンツの閲覧性を向上させることができる。
【図面の簡単な説明】
【００１９】
【図１】実施形態における情報処理装置のソフトウェア構成の一例を示すブロック図である。
【図２】実施形態における情報処理装置が提供するＷｅｂページの第１の表示例を示す図である。
【図３】実施形態における情報処理装置が提供するＷｅｂページの第２の表示例を示す図である。
【図４】実施形態における情報処理装置が提供するＷｅｂページの第３の表示例を示す図である。
【図５】実施形態における情報処理装置のハードウェア構成の一例を示すブロック図である。
【発明を実施するための形態】
【００２０】
以下、図面を参照して本発明の一実施形態における情報処理装置ならびにその制御方法および制御プログラムについて詳細に説明する。
【００２１】
先ず、図１を用いて、情報処理装置の機能を説明する。図１は、実施形態における情報処理装置のソフトウェア構成の一例を示すブロック図である。
【００２２】
図１において、情報処理装置１は、ネットワーク９を介して、利用者端末２と通信可能に接続競れている。
【００２３】
情報処理装置１および利用者端末２は、スマートフォン、タブレットＰＣ、ノートＰＣ、デスクトップＰＣまたはサーバ装置等のコンピュータまたはコンピュータシステムでありハードウェアは限定されない。
【００２４】
利用者端末２は、利用者によって操作される端末であり、Ｗｅｂブラウザ２０を有している。利用者は、Ｗｅｂブラウザ２０によって表示されるＷｅｂページを閲覧することができる。Ｗｅｂページとは、Ｗｅｂ上で公開されている、文書や画像といった情報（コンテンツ）が表示される文書の単位ことである。Ｗｅｂページは、例えば、ＨＴＭＬ（ＨｙｐｅｒＴｅｘｔ  Ｍａｒｋｕｐ  Ｌａｎｇｕａｇｅ）やＸＨＴＭＬ（Ｅｘｔｅｎｓｉｂｌｅ  Ｍａｒｋｕｐ  Ｌａｎｇｕａｇｅ）などのマークアップ言語によって記述され、Ｗｅｂブラウザ２０を用いて閲覧することができる。
【００２５】
情報処理装置１は、Ｗｅｂページ記憶部１１、静止画記憶部１２、動画記憶部１３およびＷｅｂページ提供部１４の各機能部を有する。本実施形態における情報処理装置１の上記各機能部は、本実施形態における情報処理プログラム（ソフトウェア）によって実現される機能モジュールであるものとして説明する。
【００２６】
Ｗｅｂページ記憶部１１は、マークアップ言語において予め作成されたＷｅｂページを記憶する。本実施形態におけるＷｅｂページは、少なくとも文書（テキスト）、静止画または動画のいずれか１つを含むコンテンツを提供する記述を含んでいるものとする。Ｗｅｂページ記憶部１１は、複数のＷｅｂページを記憶することができる。Ｗｅｂページ記憶部１１に記憶された複数のＷｅｂページは、１つのＷｅｂサイトを形成するようにしてもよい。Ｗｅｂサイトとは、インターネット上のＷｏｒｌｄ  Ｗｉｄｅ  Ｗｅｂ（ＷＷＷ）において、例えば、特定のドメイン名の下にある複数のＷｅｂページの集まりである。すなわち、Ｗｅｂページ記憶部１１は、特定のドメインの元におけるＷｅｂサイトを記憶するものであってもよい。また、Ｗｅｂページ記憶部１１は、複数のＷｅｂサイトを記憶するものであってもよい。
【００２７】
Ｗｅｂページ記憶部１１は、所定の記述形式でインターネット上の位置が予め特定されたＷｅｂページを記憶する。インターネット上の位置とは、インターネット上の所在を示す情報である。また、所定の記述形式とは、インターネット上のＷｅｂページの所在を示すための記述形式であって、例えば、ＩＰ（Ｉｎｔｅｒｎｅｔ  Ｐｒｏｔｏｃｏｌ）アドレスまたはＵＲＩ（Ｕｎｉｆｏｒｍ  Ｒｅｓｏｕｒｃｅ  Ｉｄｅｎｔｉｆｉｅｒ）（ＵＲＬ（Ｕｎｉｆｏｒｍ  Ｒｅｓｏｕｒｃｅ  Ｌｏｃａｔｏｒ）を含んでいてもよい）である。以下の説明においては、「インターネット上の位置」を「位置情報」と言う場合がある。
【００２８】
インターネット上の位置が予め特定されているとは、ＵＲＬ等によって予めＷｅｂページの位置情報が記述可能であることをいう。本実施形態におけるＷｅｂページ記憶部１１は、位置情報が予め特定されたＷｅｂページを記憶することにより、例えば、利用者はブラウザにＷｅｂページをブックマークとして登録することができるので、Ｗｅｂの利用性を向上させることが可能となる。なお、例えば、Ｗｅｂページを検索することができる検索エンジン（検索サイト）における検索結果の一覧を示すＷｅｂページ（一覧ページ）のＵＲＬは、検索条件によって異なるため、位置情報は予め特定されていない。一方、一覧ページに表示される検索結果には、位置情報が予め特定されたＷｅｂが表示される場合がある。
【００２９】
静止画記憶部１２は、Ｗｅｂページ記憶部１１に記憶されたＷｅｂページにおいて提供される静止画のコンテンツ（静止画コンテンツ）を記憶する。静止画コンテンツは、Ｗｅｂページの表示対象を構成する表示要素の一部であり、Ｗｅｂページにおいてマークアップ言語によって表示対象（どの静止画を表示するか）および表示方法が記述される。静止画記憶部１２は、例えば、情報処理装置１の外部から静止画コンテンツを取得して一時的に記憶するものであってもよい。なお、静止画コンテンツにはテキストコンテンツを含んでいてもよい。
【００３０】
動画記憶部１３は、Ｗｅｂページ記憶部１１に記憶されたＷｅｂページにおいて提供される動画のコンテンツ（動画コンテンツ）を記憶する。動画コンテンツは、Ｗｅｂページの表示対象を構成する表示要素の一部であり、Ｗｅｂページにおいてマークアップ言語によって表示対象（どの動画を表示するか）および表示方法が記述される。動画記憶部１３は、例えば、情報処理装置１の外部から動画コンテンツを取得して一時的に記憶するものであってもよい。なお、動画コンテンツには、静止画コンテンツまたはテキストのコンテンツ（テキストコンテンツ）を含んでいてもよい。
【００３１】
Ｗｅｂページ提供部１４は、Ｗｅｂページ記憶部１１に記憶されたＷｅｂページを利用者端末２に提供する、例えばＷｅｂサーバである。Ｗｅｂページ提供部１４は、ＨＴＴＰ（Ｈｙｐｅｒｔｅｘｔ  Ｔｒａｎｓｆｅｒ  Ｐｒｏｔｏｃｏｌ）を用いて、利用者端末２のＷｅｂブラウザ２０に対してＷｅｂページを提供する。Ｗｅｂページ提供部１４は、第１リンクを予め定められた表示位置において表示するＷｅｂページを提供するものであってもよい。第１リンクを予め定められた表示位置において表示するＷｅｂページとは、Ｗｅｂページにおける第１リンクの表示位置がマークアップ言語の記述において予め定められているＷｅｂページをいう。第１リンクを予め定められた表示位置において表示することにより、例えば、Ｗｅｂページにおける利用者が視認しやすい位置に第１リンクを表示することができる。
【００３２】
＜コンテンツの表示方法＞
ここで、Ｗｅｂページ提供部１４が提供するＷｅｂページにおいて記述されるコンテンツ（テキストコンテンツ、静止画コンテンツまたは動画コンテンツ）の表示方法について説明する。以下に例示するコンテンツの表示（フローティング表示および拡大表示）は、Ｗｅｂページに含まれるコンテンツに対するハイパーリンクを利用者がＷｅｂブラウザ２０からクリック等の操作することによって実行される。なお、コンテンツに対するハイパーリンクを含むＷｅｂページを「リンク元ページ」、また、ハイパーリンクの操作によって表示されるＷｅｂページをリンク先ページと言う場合がある。
【００３３】
コンテンツに対するハイパーリンク（以下、「第１リンク」という。）は、例えば、リンク先のアドレスを示すテキスト、または、リンク先のアドレスを示すテキスト以外のテキストもしくは静止画である。第１リンクにおける、リンク先のアドレスを示すテキスト以外の静止画とは、例えば、リンク先のアドレス情報を含むバナーである。利用者はＷｅｂブラウザ２０に表示されたリンク元ページのバナーを操作することにより、コンテンツをリンク先ページに表示させることができる。また、第１リンクにおける、リンク先のアドレスを示すテキスト以外の静止画とは、動画コンテンツの動画像の一部をキャプチャした静止画像であってもよい。また、リンク先のアドレスを示すテキスト以外の静止画には、静止画コンテンツの解像度を落とした静止画（サムネイル画像）が含まれていてもよい。
【００３４】
第１リンクは、Ｗｅｂページにおいて所定の表示形状を有する。所定の表示形状とは、例えば、矩形、円形、楕円形、多角形などの形状である。また、所定の表示形状には、テキストの文字列の形状を含んでいてもよい。利用者は、Ｗｅｂブラウザ２０に表示される所定の表示形状の第１リンクを操作することにより（例えば、バナーを操作することにより）、コンテンツ（以下、「第１コンテンツ」という。）を第１リンクの表示形状とは異なる表示形状において表示させることができる。第１コンテンツを第１リンクの表示形状とは異なる表示形状において表示させることにより、動画等のコンテンツの表示を適切な形状において表示することができるため、コンテンツの閲覧性を向上させることが可能となる。以下に例示するコンテンツの表示例は、第１コンテンツの表示形状と第１リンクの表示形状が異なる場合を示している。
【００３５】
［フローティングウインドウ表示］
フローティングウインドウ表示とは、リンク元ページの前面に常に表示されるウインドウ（フローティングウインドウ）によるコンテンツの表示方法である。フローティングウインドウの表示形状は、第１リンクの表示形状と異なる。フローティングウインドウ表示においては、利用者がリンク元ページにおいて所定の表示形状の第１リンクに対する操作をしたときに、フローティングウインドウが、第１リンクの表示形状と異なる表示形状にて、リンク元ページに重畳して表示される。
【００３６】
また、フローティングウインドウの表示は、リンク元ページに含まれる表示要素の表示位置を変更しないように行われてもよい。リンク元ページには、第１リンク等の複数の表示要素が含まれる。しかし、他の表示要素の表示位置が全て変更された場合、第１コンテンツと関係する表示（例えば、第１コンテンツを説明するテキスト等の表示）が表示されなくなる場合がある。リンク元ページに含まれる表示要素の表示位置を変更しないようにすることにより、第１リンクと関係する表示要素の表示位置を利用者が把握しやすくすることができ、第１コンテンツの閲覧性をさらに向上させることができる。フローティングウインドウの表示は、リンク元ページに重畳して表示されるため、フローティングウインドウ表示においては、リンク元ページの表示要素の表示位置を変更しないようにすることができる。
【００３７】
フローティングウインドウ表示においては、フローティングウインドウを、リンク元ページのスクロールによって表示画面から消えない（スクロールアウトしない）ように表示してもよい。フローティングウインドウの背後のリンク元ページは、灰色または黒色によって隠されても（マスキングされても）よい。コンテンツを表示画面から消えないように表示することにより、第１コンテンツの閲覧性をさらに向上させることができる。
【００３８】
また、フローティングウインドウ表示におけるリンク先ページの第１コンテンツの表示は、カーソルの位置を第１コンテンツ上に移動させて行うようにしてもよい。カーソルの位置を第１コンテンツ上に移動させて第１コンテンツを表示させることにより、利用者は第１コンテンツに対する操作を容易にすることができるので、第１コンテンツに対する操作性を向上させることができる。
【００３９】
なお、本実施形態においては、フローティングウインドウ表示の代わりにモーダルウィンドウ表示を用いてもよい。モーダルウィンドウ表示とは、モーダルウィンドウにおける操作が完了するまでリンク元ページへの操作を受け付けなくさせるウインドウの表示方法である。フローティングウインドウ表示は、モーダルウィンドウ表示として実施されてもよい。
【００４０】
［拡大表示］
拡大表示とは、リンク元ページにおいてコンテンツを拡大表示するコンテンツの表示方法である。拡大表示における第１コンテンツは、第１リンクの表示形状より大きな表示面積において表示される。例えば、第１コンテンツは、第１リンクの表示位置に拡大されて表示される。拡大表示においては、利用者がリンク元ページにおいて所定の表示形状の第１リンクに対する操作をしたときに、リンク元ページの一部に拡大された第１コンテンツが表示される。
【００４１】
また、拡大表示は、リンク元ページに含まれる表示要素の少なくとも一部の表示位置を変更しないように行われてもよい。第１コンテンツが拡大表示された場合、他の表示要素の表示面積が小さくなるため、例えば、他の表示要素を縮小し、または、表示位置を移動させる等によって移動位置を変更する必要がある。しかし、他の表示要素の表示位置が全て変更された場合、第１コンテンツと関係する表示（例えば、第１リンクが表示されていた表示位置）が把握できなくなる等の場合がある。リンク元ページに含まれる表示要素の少なくとも一部の表示位置を変更しないようにすることにより、第１コンテンツと関係する表示要素の表示位置を利用者が把握しやすくすることができ、第１コンテンツの閲覧性をさらに向上させることができる。
【００４２】
また、拡大表示におけるリンク先ページの第１コンテンツの表示は、カーソルに位置を第１コンテンツ上にして行うようにしてもよい。
【００４３】
＜第１コンテンツの表示方法＞
次に、Ｗｅｂページ提供部１４において提供されるＷｅｂページの第１コンテンツの表示方法ついて説明する。
【００４４】
［再生時間を要する第１コンテンツの表示］
再生時間を要する第１コンテンツの表示とは、再生時間が予め定められたコンテンツを表示する表示方法である。Ｗｅｂページ提供部１４は、所定の再生時間を要する第１コンテンツを表示するＷｅｂページを提供してもよい。再生時間を要する第１コンテンツとは、例えば、動画コンテンツである。動画コンテンツは再生時間が予め定められている。動画コンテンツは第１リンクを選択することによって動画ファイルがダウンロードされ、またはストリーミングされる。動画コンテンツは、予め定められた再生時間が経過するまで、または利用者が再生を停止する操作を行うまで再生される。利用者は、再生されている動画コンテンツの一時停止、巻き戻しまたは早送り等の操作を行うことができる。第１コンテンツの表示領域（ウインドウ）は、利用者が領域を閉じる操作を行うまで表示されてもよい。なお、再生時間を要する第１コンテンツは、例えば、静止画を所定の時間表示するコンテンツであってもよい。
【００４５】
［複数のコンテンツの連続表示］
Ｗｅｂページ提供部１４は、複数の第１コンテンツを連続して表示するＷｅｂページを提供してもよい。複数の第１コンテンツの連続表示とは、１つの第１コンテンツの表示が終了した場合に自動的に次の第１コンテンツを表示する表示方法である。第１コンテンツを表示する順序は、例えば、ＨＴＭＬの記載において予め設定することができる。例えば、それぞれの第１コンテンツには、次に表示する第１コンテンツをＨＴＭＬの記載において設定しておくことができる。第１コンテンツは、例えば動画コンテンツである。
【００４６】
＜第２リンクと第２コンテンツ＞
次に、Ｗｅｂページ提供部１４が提供するＷｅｂページに含まれる第２リンクについて説明する。Ｗｅｂページ提供部１４は、Ｗｅｂページ外において表示される第２コンテンツに対するハイパーリンクである第２リンクをさらに含むＷｅｂページを提供する。第２コンテンツとは、Ｗｅｂページ提供部１４が提供するＷｅｂページとは別（Ｗｅｂページ外）のＷｅｂページである。第２リンクは、第２コンテンツに対するハイパーリンクであって、所謂「外部リンク」である。
【００４７】
上述のように、第１リンクはリンク元ページと同じＷｅｂページ内において表示される第１コンテンツに対するハイパーリンクである。一方、第２リンクを操作して表示される第２コンテンツは、リンク元ページ外において表示される。Ｗｅｂページ提供部１４は、同じＷｅｂページにおいてコンテンツ（第１コンテンツ）を提供するための第１リンクとともに別のＷｅｂページにおいてコンテンツ（第２コンテンツ）を提供するための第２リンクを含むことにより、様々なコンテンツに対する利用者からのアクセスを容易にすることができ、閲覧性を向上させることができる。
【００４８】
Ｗｅｂページ提供部１４は、第１リンクを第２リンクより優先的に表示するＷｅｂページを提供する。第１リンクを第２リンクより優先的に表示するとは、利用者がＷｅｂページにおいて第１リンクを第２リンクより優先的に認識できるようにすることであり、例えば、Ｗｅｂページにおける、第１リンクの表示位置を第２リンクの表示位置より上側に配置し、第１リンクの表示の大きさを第２リンクの表示の表示の大きさより大きくし、第１リンクの表示の色を第２リンクの表示の色より目立つ色にし、第１リンクをナビゲーションフレームに表示させ、または第１リンクの表示階層を第２リンクの表示階層より上部の階層に表示させることである。例えば、第１コンテンツを第２コンテンツより先に閲覧することによりコンテンツの内容の理解が容易になり、閲覧性が向上する場合がある。また、第１コンテンツの内容が第２コンテンツの内容より重要である場合、第１コンテンツを優先して閲覧することにより閲覧性が向上する場合がある。第１リンクを第２リンクより優先的に表示することにより、第１コンテンツが表示される確率を第２コンテンツが表示される確率より高くすることができるため、コンテンツの閲覧性を向上させることができる。また、第１リンクを第２リンクより優先的に表示して第１コンテンツを優先して表示することにより、別のＷｅｂページへ移動して第２コンテンツの閲覧終了後に、再度リンク元ページに戻る操作をする確率が少なくなるため、コンテンツの閲覧性を向上させることができる。
【００４９】
なお、情報処理装置１が有する、Ｗｅｂページ記憶部１１、静止画記憶部１２、動画記憶部１３およびＷｅｂページ提供部１４の各機能部は、情報処理装置１の機能部の一例を示したものであり、情報処理装置１が有する機能を限定したものではない。例えば、情報処理装置１は、上記全ての機能部を有している必要はなく、一部の機能部を有するものであってもよい。また、情報処理装置１は、上記以外の他の機能を有していてもよい。例えば、情報処理装置１は、情報を入力するために入力機能や、装置の稼働状態をＬＥＤランプ等により報知する出力機能を有していてもよい。
【００５０】
また、情報処理装置１が有する上記各機能部は、上述の通り、ソフトウェアによって実現されるものとして説明した。しかし、情報処理装置１が有する上記機能部の中で少なくとも１つ以上の機能部は、ハードウェアによって実現されるものであっても良い。
【００５１】
また、情報処理装置１が有する上記何れかの機能部は、１つの機能部を複数の機能部に分割して実施してもよい。また、情報処理装置１が有する上記何れか２つ以上の機能部を１つの機能部に集約して実施してもよい。すなわち、図１は、情報処理装置１が有する機能を機能ブロックで表現したものであり、例えば、各機能部がそれぞれ別個のプログラムファイル等で構成されていることを示すものではない。
【００５２】
また、情報処理装置１は、１つの筐体によって実現される装置であっても、ネットワーク等を介して接続された複数の装置から実現されるシステムであってもよい。例えば、情報処理装置１は、その機能の一部または全部をクラウドコンピューティングシステムによって提供されるクラウドサービス等、仮想的な装置によって実現するものであってもよい。すなわち、情報処理装置１は、上記各機能部のうち、少なくとも１以上の機能部を他の装置において実現するようにしてもよい。また、情報処理装置１は、デスクトップＰＣ等の汎用的なコンピュータであってもよく、機能が限定された専用の装置であってもよい。
【００５３】
次に、図２〜図３を用いて、Ｗｅｂページ提供部１４が提供するＷｅｂページについて説明する。図２〜図３は、Ｗｅｂページ提供部１４が提供するＷｅｂページを利用者端末２のＷｅｂブラウザ２０に表示した表示例である。図２は、実施形態における情報処理装置が提供するＷｅｂページの第１の表示例を示す図である。図３は、実施形態における情報処理装置が提供するＷｅｂページの第２の表示例を示す図である。図４は、実施形態における情報処理装置が提供するＷｅｂページの第３の表示例を示す図である。
【００５４】
図２は、リンク元ページの表示例である。図２において、Ｗｅｂブラウザ２０は、第１リンク２１、静止画２２および第２リンク２３を含むＷｅｂページを表示している。第１リンク２１は、第１リンク２１１、第１リンク２１２、第１リンク２１３、第１リンク２１４および第１リンク２１５を含む。第２リンク２３は、第２リンク２３１、第２リンク２３２および第２リンク２３３を含む。
【００５５】
第１リンク２１は、第２リンク２３に比べてＷｅｂページの上側の位置に配置されている。すなわち、第１リンク２１は第２リンクに比べて優先的に表示されている。このため、利用者は第１リンク２１を第２リンクに比べて優先的に視認することができ、第１リンクの操作が第２リンクの操作に優先して実行される確率が高くなる。
【００５６】
第１リンク２１１〜第１リンク２１５は、第１コンテンツである動画コンテンツを再生するためのハイパーリンクの表示である。第１リンク２１１〜第１リンク２１５のいずれかのハイパーリンクを利用者が操作した場合、それぞれの第１リンクに対応する第１コンテンツとしての動画コンテンツが再生される。第１リンク２１１〜第１リンク２１５は、それぞれの動画コンテンツの一部をキャプチャした静止画と再生を表す三角のマークを表示している。第１リンク２１１〜第１リンク２１５は、それぞれの飲食店を紹介する動画コンテンツのハイパーリンクである。
【００５７】
静止画２２は、Ｗｅｂページに表示される静止画コンテンツである。第２リンク２３１〜第２リンク２３３は、他のＷｅｂページにおいて提供される第２コンテンツを表示させるためのハイパーリンクの表示である。第２リンク２３１〜第２リンク２３３のいずれかのハイパーリンクを利用者が操作した場合、それぞれの第２リンクに対応する第２コンテンツとしての他のＷｅｂページにおけるコンテンツが表示される。例えば、第２リンク２３１〜第２リンク２３３は、それぞれの飲食店個別のＷｅｂサイトを表示させるためのハイパーリンクである。
【００５８】
図３は、第１リンク２１１を操作したときに表示される第１コンテンツとしてのフローティングウインドウ表示を示している。図３において、Ｗｅｂブラウザ２０は、フローティングウインドウ２４を含むリンク先ページを表示している。フローティングウインドウ２４は、動画再生部２４０、第２リンク２４１、第２リンク２４２、切替ボタン２４３および閉ボタン２４４を含む。フローティングウインドウ２４は図２で示したリンク元ページに重畳して表示される。図３は、フローティングウインドウ２４がリンク元ページの表示をマスキングしていることを示している。
【００５９】
動画再生部２４０は、動画コンテンツを再生して表示するための表示部である。利用者は、動画再生部２４０において、動画コンテンツを再生、停止、巻き戻しまたは早送りすることができる。
【００６０】
フローティングウインドウ２４は、動画再生部２４０において動画の再生が終了したとき、または利用者が切替ボタン２４３を操作したとき、次の動画コンテンツ（例えば、第１リンク２１２に対応した動画コンテンツ）を連続して表示する。
【００６１】
第２リンク２４１は、ＳＮＳ（Ｓｏｃｉａｌ  Ｎｅｔｗｏｒｋｉｎｇ  Ｓｅｒｖｉｃｅ）において、フローティングウインドウ２４を共有させるためのボタンを含む。第２リンク２４１のいずれかのボタンを利用者が操作した場合、フローティングウインドウ２４のＵＲＬがＳＮＳにおいて共有される。
【００６２】
第２リンク２４２は、フローティングウインドウ２４で紹介する飲食店のＷｅｂサイトを表示させるためのハイパーリンクである。
【００６３】
閉ボタン２４４は、フローティングウインドウ２４を閉じるためのボタンである。閉ボタン２４４が操作された場合、フローティングウインドウ２４が閉じられて、リンク元ページが再び表示される。
【００６４】
なお、フローティングウインドウ２４は、第１リンク２１１から表示されるため、フローティングウインドウ２４は、リンク元ページより下位階層のＷｅｂページとなる。したがって、第２リンク２４１、第２リンク２４２は、第１リンク２１１の下位階層において表示されることになる。すなわち、第１リンク２１１は、第２リンク２４１および第２リンク２４２に対して優先的に表示されている。
【００６５】
図４は、第１リンク２１１を操作したときに表示される第１コンテンツとしての拡大表示を示している。図４において、Ｗｅｂブラウザ２０は、拡大表示２５、静止画２２および第２リンク２３を含むＷｅｂページを表示している。静止画２２および第２リンク２３は、図２と同様であるため説明を省略する。
【００６６】
拡大表示２５は、図２における第１リンク２１に重畳して拡大表示されている。拡大表示２５に含まれる機能は、フローティングウインドウ２４と同様である。すなわち、拡大表示２５は、動画再生部２４０、第２リンク２４１、第２リンク２４２、切替ボタン２４３および閉ボタン２４４の機能を含んでいる。
【００６７】
ところで、図２のリンク元ページにおいては、第１リンク２１は、「注目！グルメなムービー」に関するコンテンツである。第２リンク２３は、「見た目からも楽しめる店」に関するコンテンツである。ここで、「注目！グルメなムービー」は、静止画２２と「見た目からも楽しめる店」の間に配置されたコンテンツであり、利用者はコンテンツの表示順にＷｅｂページを閲覧していくことができる。すなわち、利用者は、Ｗｅｂページ上のスクロール位置において、どのコンテンツが閲覧済みであり、どのコンテンツが未閲覧であるかを認識することができる。
【００６８】
第１リンク２１１が操作されて拡大表示２５が表示された場合、静止画２２および第２リンク２３の表示位置は変更されない。これにより、利用者は、拡大表示２５のＷｅｂページ上のスクロール位置を把握することができるため、第１リンク２１の閲覧が済んだときに未閲覧の第２リンク２３を閲覧することが可能となる。
【００６９】
次に、図５を用いて、情報処理装置１のハードウェア構成を説明する。図５は、実施形態における情報処理装置１のハードウェア構成の一例を示すブロック図である。
【００７０】
情報処理装置１は、ＣＰＵ（Ｃｅｎｔｒａｌ  Ｐｒｏｃｅｓｓｉｎｇ  Ｕｎｉｔ）１０１、ＲＡＭ（Ｒａｎｄｏｍ  Ａｃｃｅｓｓ  Ｍｅｍｏｒｙ）１０２、ＲＯＭ（Ｒｅａｄ  Ｏｎｌｙ  Ｍｅｍｏｒｙ）１０３、タッチパネル１０４および通信Ｉ／Ｆ（Ｉｎｔｅｒｆａｃｅ）１０５を有する。情報処理装置１は、図１で説明した情報処理プログラムを実行する装置である。
【００７１】
ＣＰＵ１０１は、ＲＡＭ１０２またはＲＯＭ１０３に記憶された情報処理プログラムを実行することにより、利用者端末の制御を行う。情報処理プログラムは、例えば、プログラムを記録した記録媒体、又はネットワークを介したプログラム配信サーバ等から取得されて、ＲＯＭ１０３にインストールされ、ＣＰＵ１０１から読出されて実行される。
【００７２】
タッチパネル１０４は、操作入力機能と表示機能（操作表示機能）を有する。タッチパネル１０４は、情報処理装置１の利用者に対して指先又はタッチペン等を用いた操作入力を可能にする。本実施形態における情報処理装置１は操作表示機能を有するタッチパネル１０４を用いる場合を説明するが、情報処理装置１は、表示機能を有する表示装置と操作入力機能を有する操作入力装置とを別個有するものであってもよい。その場合、タッチパネル１０４の表示画面は表示装置の表示画面、タッチパネル１０４の操作は操作入力装置の操作として実施することができる。なお、タッチパネル１０４は、ヘッドマウント型、メガネ型、腕時計型のディスプレイ等の種々の形態によって実現されてもよい。
【００７３】
通信Ｉ／Ｆ１０５は、通信用のＩ／Ｆである。通信Ｉ／Ｆ１０５は、例えば、無線ＬＡＮ、有線ＬＡＮ、赤外線等の近距離無線通信を実行する。図は通信用のＩ／Ｆとして通信Ｉ／Ｆ１０５のみを図示するが、情報処理装置１は複数の通信方式においてそれぞれの通信用のＩ／Ｆを有するものであってもよい。
【００７４】
なお、本実施形態で説明した装置を構成する機能を実現するためのプログラムを、コンピュータ読み取り可能な記録媒体に記録して、当該記録媒体に記録されたプログラムをコンピュータシステムに読み込ませ、実行することにより、本実施形態の上述した種々の処理を行ってもよい。なお、ここでいう「コンピュータシステム」とは、ＯＳや周辺機器等のハードウェアを含むものであってもよい。また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００７５】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組合わせで実現するもの、いわゆる差分ファイル（差分プログラム）であっても良い。
【００７６】
以上、本発明の実施形態について、図面を参照して説明してきたが、具体的な構成はこの実施形態に限定されるものではなく、本発明の趣旨を逸脱しない範囲においての種々の変更も含まれる。
【符号の説明】
【００７７】
１      情報処理装置
１１    Ｗｅｂページ記憶部
１２    静止画記憶部
１３    動画記憶部
１４    Ｗｅｂページ提供部
２      利用者端末
２０    Ｗｅｂブラウザ
９      ネットワーク
２１    第１リンク
２１１  第１リンク
２１２  第１リンク
２１３  第１リンク
２１４  第１リンク
２１５  第１リンク
２２    静止画
２３    第２リンク
２３１  第２リンク
２３２  第２リンク
２３３  第２リンク
２４    フローティングウインドウ
２４０  動画再生部
２４１  第２リンク
２４２  第２リンク
２４３  切替ボタン
２４４  閉ボタン
２５    拡大表示
１０１  ＣＰＵ
１０２  ＲＡＭ
１０３  ＲＯＭ
１０４  タッチパネル
１０５  通信Ｉ／Ｆ
【図１】
2020042530.tif 000003
【図２】
2020042530.tif 000004
【図３】
2020042530.tif 000005
【図４】
2020042530.tif 000006
【図５】
2020042530.tif 000007